【手続補正書】
【提出日】平成28年3月1日(2016.3.1)
【手続補正１】
【補正対象書類名】特許請求の範囲
【補正対象項目名】全文
【補正方法】変更
【補正の内容】
【特許請求の範囲】
【請求項１】
広範な温度範囲にわたるヘルメットの着用中に着用者の頭部を保護するためのアルペンヘルメットであって、該ヘルメットが、
外側シェルと、
該外側シェルの内側に結合されたエネルギー散逸パッドアセンブリであって、該パッドアセンブリが、第２層の内側に配置された第１層を含み、
該第１層は、該第１層を構造的に弱化し、かつ該第２層を実質的に連続的なままにするように、該第１層の厚さを貫通するが該第２層の厚さを貫通しない孔として形成された構造変更部を含み、
該第１層および該第２層は、同一材料から形成されており、
該エネルギー散逸パッドアセンブリの前部は、該第２層と該外側シェルとの間に位置づけられた第３層を含むパッドアセンブリとして形成されている、エネルギー散逸パッドアセンブリと、
を含む、アルペンヘルメット。
【請求項２】
前記第１層及び前記第２層が一体形成される、請求項１に記載のアルペンヘルメット。
【請求項３】
前記パッドアセンブリが前部パッドアセンブリと、後部パッドアセンブリと、頂部パッドアセンブリと、を含み、前記前部パッドアセンブリ、前記後部パッドアセンブリ、及び前記頂部パッドアセンブリが互いに別個に形成され、前記前部パッドアセンブリ、前記後部パッドアセンブリ、及び前記頂部パッドアセンブリのそれぞれが少なくとも部分的に前記第１層を画定する第１部分と、少なくとも部分的に前記第２層を画定する第２部分と、を含む、請求項１に記載のアルペンヘルメット。
【請求項４】
前記第１層が第１層材料で形成され、前記第３層が前記第１層材料の密度よりも大きい密度を有する第３層材料で形成される、請求項１に記載のアルペンヘルメット。
【請求項５】
前記後部パッドアセンブリ及び前記頂部パッドアセンブリの第１部分が０．０９５〜０．１２ｇ／ｃｍ３の密度を有するビニルニトリルで形成され、前記後部パッドアセンブリ及び前記頂部パッドアセンブリの第２部分が０．０９５〜０．１２ｇ／ｃｍ３又は０．１２〜０．１４ｇ／ｃｍ３の密度を有するビニルニトリルで形成される、請求項３に記載のアルペンヘルメット。
【請求項６】
前記前部パッドアセンブリの第１部分及び第２部分が０．１２〜０．１４ｇ／ｃｍ３の密度を有するビニルニトリルで形成される、請求項５に記載のアルペンヘルメット。
【請求項７】
前記後部パッドアセンブリ及び前記頂部パッドアセンブリの第１部分及び第２部分のそれぞれが約１０ｍｍの厚さを含み、前記前部パッドアセンブリの第１部分が約１０ｍｍの厚さを含み、前記前部パッドアセンブリの第２部分が約６ｍｍの厚さを含む、請求項６に記載のアルペンヘルメット。
【請求項８】
前記第３層が０．１６〜０．２２ｇ／ｃｍ３の密度を有するビニルニトリルで形成される、請求項６に記載のアルペンヘルメット。
【請求項９】
前記後部パッドアセンブリ及び前記頂部パッドアセンブリの第１部分が第１密度を有するように形成され、前記前部パッドアセンブリの第１部分及び第２部分が該第１密度よりも大きい第２密度から形成され、前記前部パッドアセンブリが前記第２部分と前記外側シェルとの間を延在し、該第２密度よりも大きい第３密度を有する第３部分を含む、請求項３に記載のアルペンヘルメット。
【請求項１０】
前記後部パッドアセンブリの第１部分及び第２部分が、前記後部パッドアセンブリが第１厚さの２倍に実質的に等しい全厚を有するように第１厚さをそれぞれ有し、前記前部パッドの第１部分、第２部分、及び第３部分の厚さの合計が前記後部パッドアセンブリ及び前記頂部パッドアセンブリの全厚に実質的に等しい、請求項９に記載のアルペンヘルメット。
【請求項１１】
前記外側シェルの後部に結合されたゴーグル保持具を更に含む、請求項１に記載のアルペンヘルメット。
【請求項１２】
広範な温度範囲にわたるヘルメットの着用中に着用者の頭部を保護するためのアルペンヘルメットであって、該ヘルメットが、
外側シェルと、
該外側シェルの内側に結合されたエネルギー散逸パッドアセンブリであって、該パッドアセンブリは、第２層の内側に配置された第１層を含み、該第１層および該第２層は、同一材料から一体形成されており、該パッドアセンブリが、
前部及び一対の対向する側部を含む前部パッドアセンブリであって、該前部が前部パッド第２層の内側に配置された前部第１層を含み、該対向する側部が側部第２層の内側に配置された側部第１層をそれぞれ含む、前部パッドアセンブリと、
後部パッド第２層の内側に配置された後部パッド第１層を含む後部パッドアセンブリと、
頂部パッド第２層の内側に配置された頂部パッド第１層を含む頂部パッドアセンブリと、をさらに含み、
該前部パッドアセンブリ、該後部パッドアセンブリ、及び該頂部パッドアセンブリが互いに別個に形成され、該側部第１層、該後部パッド第１層、及び該頂部パッド第１層のそれぞれが複数の孔により構造的に弱化される、パッドアセンブリと、を含む、アルペンヘルメット。
【請求項１３】
前記複数の孔が貫通孔を含み、該貫通孔は、前記第１層を構造的に弱化するように、該第１層の厚さを貫通するが該第２層の厚さを貫通しない、請求項１２に記載のアルペンヘルメット。
【請求項１４】
一対の溝が前記前部第１層と前記側部第２層との間に画定される、請求項１２に記載のアルペンヘルメット。
【請求項１５】
前記前部パッドアセンブリ、前記後部パッドアセンブリ、及び前記頂部パッドアセンブリのそれぞれがビニルニトリルで形成される、請求項１２に記載のアルペンヘルメット。
【請求項１６】
広範な温度範囲にわたるヘルメットの着用中に着用者の頭部を保護するためのアルペンヘルメットであって、該ヘルメットは、
外側シェルと、
該外側シェルの内側に結合されたエネルギー散逸パッドアセンブリであって、該パッドアセンブリは、第２層の内側に配置された第１層を含み、該第１層は、該第１層を構造的に弱化し、かつ該第２層を実質的に連続的なままにするように、該第１層の厚さを貫通するが該第２層の厚さを貫通しない孔として形成された構造変更部を含む、エネルギー散逸パッドアセンブリと
を含む、アルペンヘルメット。
【請求項１７】
第１部分を含む前記エネルギー散逸パッドアセンブリを形成することをさらに含み、該第１部分の第１層は、該第１の部分の第１層を通る開口部を有しないように形成されている、請求項１６に記載のアルペンヘルメット。
【請求項１８】
前記第１層および前記第２層は、一体形成されている、請求項１６に記載のアルペンヘルメット。
【請求項１９】
前記エネルギー散逸パッドアセンブリは、前記第２層と前記外側シェルとの間に位置づけられた第３層を含む前部パッドアセンブリを含む、請求項１６に記載のアルペンヘルメット。
【請求項２０】
前記第１層および前記第２層は、同一材料から形成されている、請求項１６に記載のアルペンヘルメット。
【手続補正２】
【補正対象書類名】明細書
【補正対象項目名】００１４
【補正方法】変更
【補正の内容】
【００１４】
本発明の他の特徴及び利点は、以下の図面を共に参照しつつ、以下の明細書から明らかになるであろう。
本発明は、例えば、以下を提供する。
（項目１）
広範な温度範囲にわたるヘルメットの着用中に着用者の頭部を保護するためのアルペンヘルメットであって、該ヘルメットが、
外側シェルと、
該外側シェルの内側に結合されたエネルギー散逸パッドアセンブリであって、該パッドアセンブリが、第２層の内側に配置された第１層を含み、該第１層が該第１層を構造的に弱化する構造変更部を含む、エネルギー散逸パッドアセンブリと、を含む、アルペンヘルメット。
（項目２）
前記第１層及び前記第２層が同一材料で形成される、項目１に記載のアルペンヘルメット。
（項目３）
前記第１層が厚さを含み、前記構造変更部が前記第１層の厚さを貫通する貫通孔を含む、項目１に記載のアルペンヘルメット。
（項目４）
前記第１層及び前記第２層が一体形成される、項目１に記載のアルペンヘルメット。
（項目５）
前記構造変更部が前記第１層のみを貫通し、前記第２層が実質的に連続的である、項目４に記載のアルペンヘルメット。
（項目６）
前記パッドアセンブリが前部パッドアセンブリと、後部パッドアセンブリと、頂部パッドアセンブリと、を含み、前記前部パッドアセンブリ、前記後部パッドアセンブリ、及び前記頂部パッドアセンブリが互いに別個に形成され、前記前部パッドアセンブリ、前記後部パッドアセンブリ、及び前記頂部パッドアセンブリのそれぞれが少なくとも部分的に前記第１層を画定する第１部分と、少なくとも部分的に前記第２層を画定する第２部分と、を含む、項目１に記載のアルペンヘルメット。
（項目７）
前記前部パッドアセンブリが前記第２層と前記外側シェルとの間に位置付けられた第３層を含む、項目６に記載のアルペンヘルメット。
（項目８）
前記第１層が第１層材料で形成され、前記第３層が前記第１層材料の密度よりも大きい密度を有する第３層材料で形成される、項目７に記載のアルペンヘルメット。
（項目９）
前記第１層及び前記第２層がどちらも第１層材料で形成される、項目８に記載のアルペンヘルメット。
（項目１０）
前記後部パッドアセンブリ及び前記頂部パッドアセンブリの第１部分が０．０９５〜０．１２ｇ／ｃｍ３の密度を有するビニルニトリルで形成され、前記後部パッドアセンブリ及び前記頂部パッドアセンブリの第２部分が０．０９５〜０．１２ｇ／ｃｍ３又は０．１２〜０．１４ｇ／ｃｍ３の密度を有するビニルニトリルで形成される、項目６に記載のアルペンヘルメット。
（項目１１）
前記前部パッドアセンブリの第１部分及び第２部分が０．１２〜０．１４ｇ／ｃｍ３の密度を有するビニルニトリルで形成される、項目１０に記載のアルペンヘルメット。
（項目１２）
前記後部パッドアセンブリ及び前記頂部パッドアセンブリの第１部分及び第２部分のそれぞれが約１０ｍｍの厚さを含み、前記前部パッドアセンブリの第１部分が約１０ｍｍの厚さを含み、前記前部パッドアセンブリの第２部分が約６ｍｍの厚さを含む、項目１１に記載のアルペンヘルメット。
（項目１３）
前記前部パッドアセンブリが前記第２層と前記外側シェルとの間に位置付けられた第３層を含み、該第３層が０．１６〜０．２２ｇ／ｃｍ３の密度を有するビニルニトリルで形成される、項目１１に記載のアルペンヘルメット。
（項目１４）
前記後部パッドアセンブリ及び前記頂部パッドアセンブリの第１部分が第１密度を有する第１材料で形成され、前記前部パッドアセンブリの第１部分及び第２部分が該第１密度よりも大きい第２密度を有する第２材料で形成され、前記前部パッドアセンブリが前記第２部分と前記外側シェルとの間を延在し、該第２密度よりも大きい第３密度を有する第３部分を含む、項目６に記載のアルペンヘルメット。
（項目１５）
前記後部パッドアセンブリの第１部分及び第２部分が、前記後部パッドアセンブリが第１厚さの２倍に実質的に等しい全厚を有するように第１厚さをそれぞれ有し、前記前部パッドの第１部分、第２部分、及び第３部分の厚さの合計が前記後部パッドアセンブリ及び前記頂部パッドアセンブリの全厚に実質的に等しい、項目１４に記載のアルペンヘルメット。
（項目１６）
前記外側シェルの後部に結合されたゴーグル保持具を更に含む、項目１に記載のアルペンヘルメット。
（項目１７）
広範な温度範囲にわたるヘルメットの着用中に着用者の頭部を保護するためのアルペンヘルメットであって、該ヘルメットが、
外側シェルと、
該外側シェルの後部に結合されたゴーグル保持具と、
該外側シェルの内側に結合されたエネルギー散逸パッドアセンブリであって、該パッドアセンブリが、
前部及び一対の対向する側部を含む前部パッドアセンブリであって、該前部が前部パッド第２層の内側に配置された前部第１層を含み、該対向する側部が側部第２層の内側に配置された側部第１層をそれぞれ含む、前部パッドアセンブリと、
後部パッド第２層の内側に配置された後部パッド第１層を含む後部パッドアセンブリと、
頂部パッド第２層の内側に配置された頂部パッド第１層を含む頂部パッドアセンブリと、を含み、
該前部パッドアセンブリ、該後部パッドアセンブリ、及び該頂部パッドアセンブリが互いに別個に形成され、該側部第１層、該後部パッド第１層、及び該頂部パッド第１層のそれぞれが複数の孔により構造的に弱化される、パッドアセンブリと、を含む、アルペンヘルメット。
（項目１８）
前記複数の孔が貫通孔を含む、項目１５に記載のアルペンヘルメット。
（項目１９）
前記前部第２層が前記側部第２層のそれぞれと一体であり、一対の溝が前記前部第１層と前記側部第２層との間に画定される、項目１５に記載のアルペンヘルメット。
（項目２０）
前記前部パッドアセンブリ、前記後部パッドアセンブリ、及び前記頂部パッドアセンブリのそれぞれがビニルニトリルで形成される、項目１７に記載のアルペンヘルメット。
【手続補正３】
【補正対象書類名】明細書
【補正対象項目名】００１９
【補正方法】変更
【補正の内容】
【００１９】
図３に示されるように、内側パッドアセンブリ１６は、外側シェル１４の内側表面４２に実質的に近接して位置付けられ、概してヘルメット１０の後部３４に沿って延在する後部パッドアセンブリ４６と、概してヘルメット１０の頂部３０に沿って延在する頂部パッドアセンブリ５０と、概してヘルメット１０の前部２６及び側部３６に沿って延在する前部パッドアセンブリ５４と、を含む。幾つかの実施形態では、後部パッドアセンブリ４６、頂部パッドアセンブリ５０、及び前部パッドアセンブリ５４を含むパッドアセンブリ１６はビニルニトリルを含むが、他の実施形態では、パッドアセンブリ１６は、発泡ポリプロピレン（「ＥＰＰ」）又は他のエネルギー制御若しくはエネルギー吸収材料も含むか、代わりにこれらを含んでよい。